(57)【要約】【課題】再生可能な低音の帯域の拡大が図れるスピーカシステムを提供すること。【解決手段】スピーカシステム１０は、スピーカエンクロージャー２１をテーブルの上に支持する脚部２７が下面２１Ａに設けられ、その脚部２７の先端部分に弾性部材２７Ｂを備える。また、下面２１Ａに形成された片持ちのパッシブ振動板３１は、上面側のバッフル板に取り付けられたスピーカユニットからスピーカエンクロージャー２１内に放射される音波に応じて振動するパッシブラジエータとして機能する。そして、弾性部材２７Ｂのバネ定数を、当該弾性部材２７Ｂのバネ定数と設置時に脚部２７に加えられるバネ上質量とに基づいて定まる共振周波数が、パッシブ振動板３１が共振するバスレフ共振周波数ｆｒに比べて低い周波数となるように設定した。【選択図】図２
2015099957.tif 000002
【特許請求の範囲】
【請求項１】
供給される音響信号に応じて音波を放射するスピーカユニットと、
前記スピーカユニットが設けられたスピーカエンクロージャーと、
前記スピーカユニットから前記スピーカエンクロージャー内に放射される前記音波に応じて振動するパッシブラジエータと、
前記スピーカエンクロージャーを支持する弾性部を有する脚部と、を備え、
前記脚部の弾性部は、弾性部のバネ定数と当該脚部に作用するバネ上質量とに基づいて定まる共振周波数が、前記パッシブラジエータが共振するバスレフ共振周波数に比べて低い周波数となるように前記弾性部の前記バネ定数を設定したことを特徴とするスピーカシステム。
【請求項２】
前記パッシブラジエータは、設置面と対向する前記スピーカエンクロージャーの第１面に設けられ、前記第１面に一端が固定された状態で弾性により振動可能なパッシブ振動板であることを特徴とする請求項１に記載のスピーカシステム。
【請求項３】
前記脚部は、前記第１面に設けられ、前記スピーカユニットから放射される前記音波に応じて振動する前記パッシブ振動板の振動端に近接する位置に設けられることを特徴とする請求項２に記載のスピーカシステム。
【請求項４】
前記スピーカエンクロージャーは、前記第１面と対向する第２面が設けられ、
前記スピーカユニットは、前記第２面に設けられることを特徴とする請求項２又は請求項３に記載のスピーカシステム。
【請求項５】
前記弾性部の前記バネ定数は、当該バネ定数と前記脚部に作用するバネ上質量とに基づいて定まる共振周波数が、前記バスレフ共振周波数に比べて低い周波数で、且つ前記パッシブラジエータの振幅が最大となる周波数となるように設定されることを特徴とする請求項１乃至請求項４のいずれかに記載のスピーカシステム。
【請求項６】
前記スピーカユニットに供給される音響信号に対し、前記パッシブラジエータの振幅が最大となる周波数を含む帯域を制限する処理を行う処理回路を、起動又は停止する制御を可能に備えることを特徴とする請求項１乃至請求項５のいずれかに記載のスピーカシステム。
【請求項７】
供給される音響信号に応じて音波を放射するスピーカユニットが取り付けられるスピーカエンクロージャーであって、
前記スピーカユニットから前記スピーカエンクロージャー内に放射される前記音波に応じて振動するパッシブラジエータと、
前記スピーカエンクロージャーを支持する弾性部を有する脚部と、を備え、
前記脚部の弾性部は、弾性部のバネ定数と当該脚部に作用するバネ上質量とに基づいて定まる共振周波数が、前記パッシブラジエータが共振するバスレフ共振周波数に比べて低い周波数となるように前記弾性部の前記バネ定数を設定したことを特徴とするスピーカエンクロージャー。
【発明の詳細な説明】
【技術分野】
【０００１】
本願に開示の技術は、スピーカシステム及びスピーカエンクロージャーに関するものである。
【背景技術】
【０００２】
従来、スピーカユニットがスピーカエンクロージャーに取り付けられたスピーカシステムでは、低域の周波数の音声を再生する効率を向上させるために、スピーカユニット自体の低域共振周波数ｆ０を低くすることに加えて、低音を強調して出力するスピーカエンクロージャーの構造が種々提案されている（例えば、特許文献１など）。特許文献１には、スピーカユニットの背面からスピーカエンクロージャー内に放射される音波の低音を強調し音声として再生するパッシブラジエータとしてパッシブ振動板を備えるバスレフ型のスピーカシステムが開示されている。スピーカシステムのパッシブ振動板は、スピーカエンクロージャーの一面に板状に形成され、その一端がスピーカエンクロージャーのバッフル板に固定され他端が振動端とされる片持ちの状態で保持されている。パッシブ振動板は、スピーカユニットからスピーカエンクロージャー内に放射される音波に応じて振動する。パッシブ振動板は、当該パッシブ振動板の質量と、スピーカエンクロージャーの内部空間の空気バネとに基づくヘルムホルツ共鳴を起こす共鳴器として機能し、固有の共振周波数（以下、「バスレフ共振周波数」という）で共振する。
【先行技術文献】
【特許文献】
【０００３】
【特許文献１】特許第４０５９２５９号公報
【発明の概要】
【発明が解決しようとする課題】
【０００４】
上記したようなバスレフ型のスピーカシステムでは、例えばパッシブラジエータの振動により出力される音波の位相がバスレフ共振周波数以下では反転し、スピーカユニットから外部に再生される音波とパッシブラジエータから再生される音波とがお互いに打ち消し合ってしまう。特に、適切に設計されたバスレフ型のスピーカシステムでは、スピーカユニットとパッシブラジエータとから発生する音波が、互いの位相が逆相で音圧が略同一となるため打ち消し合って音圧がほぼ消滅してしまう。このため、パッシブラジエータを備えるバスレフ型のスピーカシステムでは、バスレフ共振周波数に比べて低い帯域の音声を再生する事ができない問題があった。
【０００５】
本願に開示される技術は、上記の課題に鑑み提案されたものである。再生可能な低音の帯域の拡大が図れるスピーカシステム及びスピーカエンクロージャーを提供することを目的とする。
【課題を解決するための手段】
【０００６】
本願に開示される技術に係るスピーカシステムは、供給される音響信号に応じて音波を放射するスピーカユニットと、スピーカユニットが設けられたスピーカエンクロージャーと、スピーカユニットからスピーカエンクロージャー内に放射される音波に応じて振動するパッシブラジエータと、スピーカエンクロージャーを支持する弾性部を有する脚部と、を備え、脚部の弾性部は、弾性部のバネ定数と当該脚部に作用するバネ上質量とに基づいて定まる共振周波数が、パッシブラジエータが共振するバスレフ共振周波数に比べて低い周波数となるように弾性部のバネ定数を設定したことを特徴とする。
【０００７】
当該スピーカシステムでは、スピーカエンクロージャーをテーブルの天板や床等の設置面の上に支持する脚部に弾性部を備える。弾性部のバネ定数は、当該バネ定数と脚部に作用するバネ上質量とに基づいて定まる共振周波数が、パッシブラジエータが共振するバスレフ共振周波数に比べて低い周波数となるように設定される。この構成のスピーカシステムでは、パッシブラジエータによりスピーカエンクロージャーに励起される振動のうち、従来のバスレフ型のスピーカシステムでは再生できなかった低域の周波数を選択的にテーブル等に伝え振動させることが可能となる。その結果、スピーカシステムは、テーブルを振動させて発生させた音圧により所望の重低音を再生することが可能となる。また、当該スピーカシステムでは、所望の周波数と、バネ定数と脚部に作用するバネ上質量とに基づいて定まる共振周波数が一致するように弾性部のバネ定数を設定することによって、所望の周波数より高い周波数の振動がテーブルなどに伝わるのを防ぐメカニカルなローパスフィルタが構成される。スピーカシステムは、脚部からテーブルなどに伝わる周波数の帯域がバスレフ共振周波数に比べて低い帯域に制限される。このため、このスピーカシステムによれば、メカニカルなローパスフィルタにより、テーブル等から材料に依存した固有音が発生しにくくなる。
【０００８】
また、本願に開示される技術に係るスピーカシステムにおいて、パッシブラジエータを、設置面と対向するスピーカエンクロージャーの第１面に設け、第１面に一端が固定された状態で弾性により振動可能なパッシブ振動板として構成してもよい。
【０００９】
当該スピーカシステムでは、スピーカエンクロージャーはテーブルなどの対象物の設置面に対して脚部により支持される。パッシブラジエータは、その設置面と対向するスピーカエンクロージャーの第１面において一端が固定された片持ちのパッシブ振動板として構成される。パッシブラジエータによってスピーカエンクロージャーに励起される振動をテーブルなどの設置面へ効率的に伝達させるには、脚部からテーブルに伝える力のベクトルを設置面に対して垂直な方向とすることが望ましい。しかしながら、一般的に、パッシブラジエータとしてドローンコーンを備えるバスレフ型のスピーカシステムでは、コーン紙が振幅する方向を設置面に対して垂直な方向とすると、重力によってコーン紙が下がり振動の中心が重力の作用する方向にオフセットすることで周波数特性の歪が増加する虞がある。これに対し、当該スピーカシステムでは、パッシブラジエータとして片持ちのパッシブ振動板を設けることで、設置する向きが制限されず振幅方向を重力が作用する方向とすることができる。これにより、スピーカシステムは、片持ちのパッシブ振動板を設置面と対向する第１面に備えることで、テーブルなどを振動させるために脚部に作用する力のベクトルを設置面に対して垂直な方向とすることができ、片持ちのパッシブ振動板によってスピーカエンクロージャーに励起される振動を効率的にテーブルなどに伝達することが可能となる。
【００１０】
また、本願に開示される技術に係るスピーカシステムにおいて、脚部は、第１面に設けられ、スピーカユニットから放射される音波に応じて振動するパッシブ振動板の振動端に近接する位置に設けられる構成としてもよい。
【００１１】
片持ちで支持されるパッシブ振動板は、振動する際に、固定端と振動端（自由端）を有する。当該スピーカシステムでは、脚部がこの振動端に近接する位置に設けられる。これにより、パッシブ振動板の振動によってスピーカエンクロージャーに振動が励起され易い位置、また、振動が最も大きくなる位置が設置面と接することとなり、テーブル等に対して振動を効率よく伝達可能なスピーカシステムが構成できる。
【００１２】
また、本願に開示される技術に係るスピーカシステムにおいて、スピーカエンクロージャーは、第１面と対向する第２面が設けられ、スピーカユニットは、第２面に設けられる構成としてもよい。
【００１３】
当該スピーカシステムでは、スピーカエンクロージャーは、仮に直方体形状で構成した場合に、パッシブ振動板（パッシブラジエータ）が設置面と対向する下面となり、スピーカユニットが設置面とは反対側の上面となる。この構成のスピーカシステムでは、上面側のスピーカユニットによって中高域の音波が設置された空間内に放射されるとともに、パッシブ振動板によってスピーカエンクロージャーに励起された振動が脚部を介して設置面に効果的に伝達され重低音が再生される。また、パッシブ振動板から直接再生される低音は、スピーカユニットから再生される中高音に比べて波長が長く指向性が広くなり回り込みが生じ易い。従って、下面側のパッシブ振動板から再生される音声は、回折により設置された空間内に放射されることとなる。これにより、当該スピーカシステムによれば、音声の全周波数の帯域に渡って明瞭で癖のない音声を再生することが可能となる。
【００１４】
また、本願に開示される技術に係るスピーカシステムにおいて、弾性部のバネ定数を、当該バネ定数と脚部に作用するバネ上質量とに基づいて定まる共振周波数が、バスレフ共振周波数に比べて低い周波数で、且つパッシブラジエータの振幅が最大となる周波数となるように設定してもよい。
【００１５】
当該スピーカシステムでは、脚部の弾性部とバネ上の質量が共振する周波数において脚部から設置面へ振動が伝達される伝達比の値が１以上となり伝達特性にピークが生じる。このため、当該スピーカシステムでは、パッシブラジエータの振幅が最大となる周波数において伝達比の値が１以上となるため、テーブルなどの設置面から振動により励起される音圧をスピーカユニットから再生する音圧以上とすることも可能である。
【００１６】
また、本願に開示される技術に係るスピーカシステムにおいて、スピーカユニットに供給される音響信号に対し、パッシブラジエータの振幅が最大となる周波数を含む帯域を制限する処理を行う処理回路を、起動又は停止する制御を可能に備える構成としてもよい。
【００１７】
当該スピーカシステムでは、帯域の制限を行う処理回路の駆動を制御することによって、パッシブラジエータの振幅が最大となる周波数を含む帯域でパッシブラジエータを振動させるか否かが選択可能となる。これにより、スピーカシステムは、重低域の音声を再生する拡張機能の起動又は停止をユーザーが選択可能となる。
【００１８】
また、本願に開示される技術に係るスピーカエンクロージャーは、供給される音響信号に応じて音波を放射するスピーカユニットが取り付けられるスピーカエンクロージャーであって、スピーカユニットからスピーカエンクロージャー内に放射される音波に応じて振動するパッシブラジエータと、スピーカエンクロージャーを支持する弾性部を有する脚部と、を備え、脚部の弾性部は、弾性部のバネ定数と当該脚部に作用するバネ上質量とに基づいて定まる共振周波数が、パッシブラジエータが共振するバスレフ共振周波数に比べて低い周波数となるように弾性部のバネ定数を設定したことを特徴とする。
を有する。
【００１９】
当該スピーカエンクロージャーでは、スピーカユニットを取り付けて駆動した場合に、パッシブラジエータによりスピーカエンクロージャーに励起される振動のうち、従来のバスレフ型のスピーカシステムでは再生できなかった重低域の周波数を選択的にテーブル等に伝え振動させることが可能となる。その結果、当該スピーカエンクロージャーにスピーカユニットを取り付けたスピーカシステムでは、テーブルを振動させて発生させた音圧によりスピーカシステム単体では再生できない帯域の重低音を再生させることが可能となる。
【発明の効果】
【００２０】
本願に開示される技術によれば、再生可能な低音の帯域の拡大が図れるスピーカシステム及びスピーカエンクロージャーを提供することができる。
【図面の簡単な説明】
【００２１】
【図１】本実施例のスピーカシステムを上面側から見た斜視図である。
【図２】本実施例のスピーカシステムを下面側から見た斜視図である。
【図３】スピーカユニット及びパッシブ振動板（パッシブラジエータ）の音圧周波数特性と、スピーカシステムの電気インピーダンス周波数特性を示すグラフである。
【図４】各測定値における振動による加速度と、スピーカユニットからの再生周波数との関係をグラフである。
【図５】測定位置を説明するためのスピーカシステムの下面図である。
【図６】脚部に弾性部材を設けた場合と、設けない場合とにおける、脚部から伝達される振動による加速度の周波数特性を示すグラフである。
【図７】別例のスピーカシステムを示す図であり、（ａ）は、側面から見た場合の断面図、（ｂ）は、後方から見た図、（ｃ）は、下面から見た図である。
【図８】別例のスピーカシステムを示す図であり、（ａ）は、側面から見た場合の断面図、（ｂ）は、後方から見た図、（ｃ）は、下面から見た図である。
【図９】別例のスピーカシステムの外観を示す斜視図である。
【発明を実施するための形態】
【００２２】
以下、本発明を具体化した一実施例について添付図面を参照しながら説明する。
図１は、本実施例のスピーカシステム１０の外観を上面側から見た斜視図である。また、図２は、本実施例のスピーカシステム１０の外観を下面側から見た斜視図である。図１に示すように、スピーカシステム１０は、略直方体形状の密閉型のスピーカエンクロージャー２１を備える。スピーカエンクロージャー２１は、中空の箱型に形成され、図２に示す下面２１Ａの平坦部２６と脚部２７の先端部分とが例えばテーブルに接触した状態で設置される。なお、設置場所は、テーブルに限定されず、机、ラック、置き台、取り付け台、床などでもよい。スピーカエンクロージャー２１は、下面２１Ａと対向する上面側にバッフル板２３が取り付けられている。バッフル板２３は、当該バッフル板２３を貫通する複数の取り付けねじ２５を螺合させてスピーカエンクロージャー２１に取り付けられている。バッフル板２３は、上方（図中における上側）から見た形状が長方形となる板状に形成されており、その長手方向の一方側（図中の左側）にボイスコイルやマグネット等を備えたスピーカユニット１１が取り付けられている。スピーカユニット１１は、バッフル板２３を貫通して形成された取付け穴に挿入された状態で、複数の取り付けねじ２５によってスピーカエンクロージャー２１に対して固定されている。バッフル板２３を含むスピーカエンクロージャー２１は、例えば、木材、合成樹脂、金属もしくはそれらを張り合わせた合成材等により形成されている。
【００２３】
図２に示すように、スピーカエンクロージャー２１の下面２１Ａは、スピーカユニット１１と対向する位置に平坦部２６が形成されている。平坦部２６とバッフル板２３とは、スピーカシステム１０の上下方向で互いに対向し、平行な平面を構成している。また、下面２１Ａは、バッフル板２３の長手方向における一端において、短手方向の両端部の各々に脚部２７が形成されている。一対の脚部２７の各々は、バッフル板２３の長手方向において、スピーカユニット１１とは反対の端部側に形成されている。脚部２７の各々は、下面２１Ａから一方向に沿って形成された直方体状をなす。図示例においては、脚部２７は、バッフル板２３の平面に対して垂直な方向に沿って形成されている。脚部２７の各々は、下面２１Ａと同一部材で形成された本体部２７Ａの先端に弾性部材２７Ｂが取り付けられている。弾性部材２７Ｂは、例えば本体部２７Ａに対して接着剤により固着されている。
【００２４】
下面２１Ａは、平坦部２６と脚部２７が形成された端部とを連結する傾斜部２８が形成されている。傾斜部２８は、平坦部２６の平面に沿った方向（この場合、バッフル板２３の平面に沿った方向と平行な方向）対して所定の角度で傾斜して形成されている。傾斜部２８は、バッフル板２３の長手方向において平坦部２６側から脚部２７側に向かうに従って、バッフル板２３との上下方向の距離が短くなるように傾斜している。スピーカエンクロージャー２１は、バッフル板２３の短手方向で対向する一対の側面２１Ｂ，２１Ｃを備える。側面２１Ｂ，２１Ｃの各々は、長手方向において脚部２７側に近づくに従って上下方向の幅が短くなっている。また、スピーカエンクロージャー２１は、バッフル板２３の長手方向で対向する一対の側面２１Ｄ，２１Ｅを備える。脚部２７が形成された端部側の側面２１Ｄは、上下方向の全幅が対向する側面２１Ｅに比べて短くなっている。傾斜部２８は、スピーカシステム１０をテーブルに設置した場合に、テーブルの設置面（天板の表面など）と離間した状態となる。
【００２５】
傾斜部２８には、Ｕ字状に開口部２９が形成されている。開口部２９は、傾斜部２８をおよそ同一の幅で貫通して形成され、Ｕ字状の底部が脚部２７側となっている。開口部２９は、下面２１Ａの長手方向に沿った一対の開口部分の各々が平坦部２６側から脚部２７側まで形成され、脚部２７側において短手方向に沿って形成された開口部分によって連通している。また、傾斜部２８は、開口部２９に囲まれた内側部分がパッシブ振動板３１として機能する。パッシブ振動板３１は、下面２１Ａの短手方向の中央を通る長手方向に沿った直線に対して対象な形状となっている。このように形成されたパッシブ振動板３１は、平坦部２６側の固定部３１Ａが傾斜部２８に対して固定され、他の部分が開口部２９によって切り離されており、固定部３１Ａによって支持された片持ち梁のように形成されている。また、パッシブ振動板３１は、設置状態では、外周面がテーブルの設置面と離間し、内部にはスピーカエンクロージャー２１の内部空間が形成されており、スピーカユニット１１からスピーカエンクロージャー２１内に放射される音波に応じて、固定部３１Ａが固定端、脚部２７側の先端部３１Ｂが振動端（自由端）となって振動する。パッシブ振動板３１は、先端部３１Ｂの内周面にパッシブラジエータの共振周波数を調整するための一対の重り３３が取り付けられている。なお、この重り３３は、パッシブラジエータの共振周波数により個数や取付位置が異なり、重りを必要としない場合もある。また、パッシブ振動板３１は、スピーカユニット１１を駆動していない状態では、固定部３１Ａから先端部３１Ｂまでが撓まずにほぼ同一平面上に位置するように自重を支えることができる程度の弾性を有することが好ましい。また、スピーカエンクロージャー２１は、内部空間の機密性を維持するために開口部２９を塞ぐエッジを開口部２９の内側または外側に必ず備える。
【００２６】
上記した構成のスピーカシステム１０では、スピーカユニット１１が駆動されると、例えばスピーカユニット１１のコーン紙の振動がスピーカエンクロージャー２１内の空気に気圧の変化をもたらし、この気圧の変化によってパッシブ振動板３１も振動する。従って、パッシブ振動板３１は、当該パッシブ振動板３１の弾性に加えてスピーカエンクロージャー２１の内部空間の空気バネも加わったコンプライアンス（機械的可とう性）と、パッシブ振動板３１の等価質量とから決定される共振周波数を持つようになる。この結果、パッシブ振動板３１は、共振周波数を中心に再生される音波が生じる。
【００２７】
空気バネとパッシブ振動板３１の弾性（バネ性）は、等価的に２つのバネが並列に接続されているように機能するが、空気バネの方がパッシブ振動板３１の弾性よりも遥かにコンプライアンスが小さい。このため、等価コンプライアンスはほぼ空気のコンプライアンスと一致し、パッシブ振動板３１の共振周波数は、空気のコンプライアンスとパッシブ振動板３１の等価質量で決まる。このようにして決定されるパッシブ振動板３１の共振周波数（以下、「バスレフ共振周波数ｆｒ」と呼ぶ）は、低音の帯域の所望の周波数に設定できる。本実施例のスピーカシステム１０は、パッシブ振動板３１を片持ちのパッシブラジエータとして作用させるバスレフ型のスピーカシステムとして構成されている。
【００２８】
図３は、スピーカユニット１１及びパッシブ振動板３１（パッシブラジエータ）の振幅周波数特性４３，４４と、スピーカシステム１０の電気インピーダンス周波数特性４１を示している。図３の横軸は、スピーカユニット１１から再生される周波数を示している。図３の左側の縦軸は、スピーカユニット１１及びパッシブ振動板３１の振幅の大きさを示している。図３の右側の縦軸は、スピーカシステム１０の電気インピーダンスを示している。図３に示すように、バスレフ型のスピーカシステム１０の電気インピーダンス周波数特性４１は、低音の帯域において２つの山に挟まれた谷を持つ特性となる（図中の一点鎖線のグラフ参照）。この場合に、谷の底（極小値）がバスレフ共振周波数ｆｒ（図示例では約９０Ｈｚ）となる。以下の説明では、バスレフ共振周波数ｆｒを挟む２の山のうち、低域側の山の頂点（極大値）となる値を周波数ｆ１（図示例では約７０Ｈｚ）と、高域側の山の頂点となる値を周波数ｆ２（図示例では約１９０Ｈｚ）と称して説明する。
【００２９】
スピーカユニット１１の振幅周波数特性４３は、スピーカユニット１１から発生する音圧がコーン紙などの振動板の加速度に比例するため、高域から周波数ｆ２付近までの変化量が一定となる範囲では、低域に向かうに従って振動板（コーン紙）の振幅が例えば１２ｄＢ／ｏｃｔで増加する（図中の実線のグラフ参照）。パッシブ振動板３１（パッシブラジエータ）の振幅周波数特性４４は、スピーカユニット１１と同様に、低域のバスレフ共振周波数ｆｒに向かうに従ってパッシブ振動板３１の振幅が例えば１２ｄＢ／ｏｃｔで増加する（図中の破線のグラフ参照）。
【００３０】
スピーカシステム１０は、スピーカユニット１１の再生周波数がバスレフ共振周波数ｆｒに比べて遥かに高い帯域（例えば、５００Ｈｚ以上）では、音波が専らスピーカユニット１１から再生され、パッシブ振動板３１が振動せずに殆ど音波を放出しない状態となる。また、スピーカユニット１１の再生周波数が周波数ｆ２付近では、スピーカユニット１１の振幅周波数特性４３は極大値となり、さらに低域のバスレフ共振周波数ｆｒに向かうに従って減少する。パッシブ振動板３１の振幅周波数特性４４は、スピーカユニット１１の振幅周波数特性４３が減少する一方で、振幅（再生される音圧）が増加する。
【００３１】
再生周波数がバスレフ共振周波数ｆｒに近くなると、パッシブ振動板３１は、スピーカユニット１１の背面からスピーカエンクロージャー２１内に放射される音波に共振して振動を始める。この帯域では、スピーカユニット１１とパッシブ振動板３１との各々からスピーカエンクロージャー２１の外部に放出される音波が同相となる。一方で、振幅周波数特性４３は、バスレフ共振周波数ｆｒ付近で極小値となり、スピーカユニット１１の振幅がパッシブ振動板３１に比べて小さくなり、スピーカシステム１０から再生される音声の殆どがパッシブ振動板３１から放出されることとなる。
【００３２】
そして、パッシブ振動板３１は、再生周波数がバスレフ共振周波数ｆｒ以下となっても振幅が増加し、発生する音圧が増大する（振幅周波数特性４４参照）。また、スピーカユニット１１は、共振周波数ｆｒ付近で極小値をとり、さらに低域では振幅が増大する（振幅周波数特性４３参照）。しかしながら、バスレフ共振周波数ｆｒ以下では、スピーカユニット１１とパッシブ振動板３１から発生する音波が逆相となる。このため、バスレフ共振周波数ｆｒよりさらに低域の周波数ｆ１付近では、パッシブ振動板３１の振幅が最大となっても、スピーカユニット１１とパッシブ振動板３１とから発生する音波が逆相であるため、互いの音波が空間で打ち消し合ってしまい音圧が極めて小さくなる。その結果、スピーカシステム１０は、スピーカユニット１１とパッシブ振動板３１とが激しく振動し、音波を発生させるための大きなエネルギーが消費されているにも関わらず、ユーザーの耳には音声が聞こえない状態となる。
【００３３】
また、スピーカシステム１０は、スピーカユニット１１とパッシブ振動板３１とが再生する音波を合成した音圧が、再生周波数の大きさに依らずほぼ一定値となることが好ましい。このため、音圧を一定とするために適切に設計すると、スピーカシステム１０は、スピーカユニット１１とパッシブ振動板３１とから発生する音波が、音圧が同程度で位相が逆相となり、打ち消し合って音圧がほぼ消滅してしまう可能性が高くなる。このように、パッシブラジエータを用いたバスレフ型のスピーカシステム１０では、バスレフ共振周波数ｆｒより低い周波数の音波の再生ができないことが問題となる。そこで、本発明者らは、バスレフ型のスピーカシステムについてバスレフ共振周波数ｆｒより低い周波数での動作について、検討・シミュレーション等を重ねた結果、本発明をなすに至った。具体的には、本実施例のスピーカシステム１０は、脚部２７に弾性部材２７Ｂを設け、当該弾性部材２７Ｂのバネ定数と脚部２７に作用するバネ上の質量に基づいて定まる共振周波数を、バスレフ共振周波数ｆｒより低い周波数に設定する。これにより、スピーカシステム１０は、パッシブ振動板３１によりスピーカエンクロージャー２１に励起される振動のうち、バスレフ共振周波数ｆｒより低い周波数ｆ１付近の振動を脚部２７の弾性部材２７Ｂによりテーブル等に伝達させる。そして、スピーカシステム１０は、テーブルの設置面を振動させることにより、従来のバスレフ型のスピーカシステムでは再生できなかった低域の音波を再生する。
【００３４】
（脚部２７の位置について）
図４は、本実施例のスピーカシステム１０において、振動による加速度［Ｖ］を測定する測定位置をスピーカエンクロージャー２１の各部位に設定した場合の周波数特性を示している。図５は、スピーカエンクロージャー２１の各部位に設定した測定位置Ｐ１〜Ｐ４を示している。図４の周波数特性５１は、図５に示す測定位置Ｐ１において、スピーカユニット１１の再生周波数を変化させて生じた振動の加速度を測定したグラフである。同様に、図４に示す周波数特性５２〜５４は、図５に示す測定位置Ｐ２〜Ｐ４の各々において加速度を測定したグラフである。
【００３５】
測定位置Ｐ１は、下面２１Ａに設けられた２つの脚部２７の中間位置を測定位置としている。また、測定位置Ｐ２は、脚部２７の先端面を測定位置としている。また、測定位置Ｐ３は、傾斜部２８の開口部２９より外側に長手方向に沿って形成された側縁部の中間位置を測定位置としている。また、測定位置Ｐ４は、傾斜部２８の側縁部の平坦部２６側の端部部分を測定位置としている。
【００３６】
本実施例のスピーカシステム１０のパッシブ振動板３１は、固定部３１Ａによって片持ちで保持されている。この場合、スピーカエンクロージャー２１は、パッシブ振動板３１の振動によって励起される振動が、パッシブ振動板３１の固定部３１Ａ側に比べて先端部３１Ｂにより近い部分で大きくなる傾向がある。図４に示すように、パッシブ振動板３１の先端部３１Ｂにより近い測定位置Ｐ１，Ｐ２の周波数特性５１，５２は、所望の周波数ｆ１（この場合、７０Ｈｚ）付近における加速度［Ｖ］が、他の測定位置Ｐ３，Ｐ４の周波数特性５３，５４に比べて大きくなっている。この結果を踏まえ、本実施例のスピーカシステム１０は、パッシブ振動板３１が振動した時により大きな振動が励起される先端部３１Ｂ（振動端）に近接する位置に脚部２７が設けられている。
【００３７】
（弾性部材２７Ｂについて）
図１及び図２に示すように、脚部２７は、テーブル等に接触する先端部に弾性部材２７Ｂを備える。弾性部材２７Ｂのバネ定数は、例えば、設置した際に脚部２７に加えられるバネ上質量と弾性部材２７Ｂのバネ定数とで定まる共振周波数が周波数ｆ１となるように設定されている。バネ定数は、例えば、バネ定数をＫ、脚部２７に加えられる質量をｍとした場合に、バネ定数Ｋ＝ｍ＊（２πｆ１）２［Ｎ／ｍ］で決定される。なお、本実施例のように弾性部材２７Ｂが設けられた脚部２７が複数ある場合には、各脚部２７の弾性部材２７Ｂのバネ定数を、各々の脚部２７において共振周波数が周波数ｆ１となるように調整することが好ましい。また、弾性部材２７Ｂは、テーブルに接触する面に薄い樹脂のクッションやフエルトパッドを貼り付けてもよい。これにより、スピーカシステム１０は、スピーカエンクロージャー２１の振動によって脚部２７がテーブルを傷つけるといった不具合が防止できる。
【００３８】
弾性部材２７Ｂは、例えば、樹脂やゴム等で形成されている。本実施例の弾性部材２７Ｂは、例えば硬質ウレタンフォームである。硬質ウレタンフォームとして市販されているものとしては例えば「ＰＯＲＯＮ（登録商標）」などがある。上記したように、弾性部材２７Ｂのバネ定数は、脚部２７に加えられるバネ上質量と弾性部材２７Ｂのバネ定数とで定まる共振周波数が、バスレフ共振周波数ｆｒより低域でありパッシブ振動板３１の振幅が最大となる周波数ｆ１となるように設定されている。
【００３９】
図６は、脚部２７の先端部分に弾性部材２７Ｂ（硬質ウレタンフォーム）を設けた場合と、設けない場合との脚部２７から伝達される振動による加速度［Ｖ］の周波数特性を示している。図６の横軸は、スピーカユニット１１の再生周波数を示している。図６に示す周波数特性５６は、脚部２７に弾性部材２７Ｂを設けた場合を示している。また、周波数特性５７は、弾性部材２７Ｂを設けない場合を示している。図６に示すように、周波数特性５６，５７は、低域から伝達したい所望の周波数ｆ１（本実施例では、７０Ｈｚ）に向かうに従って加速度［Ｖ］が増加している。一方で、周波数ｆ１より高い帯域では、弾性部材２７Ｂを設けた周波数特性５６の加速度が、弾性部材２７Ｂを設けない周波数特性５７に比べて抑制されている。これは、スピーカシステム１０は、弾性部材２７Ｂとバネ上の質量が共振する共振周波数において脚部２７（弾性部材２７Ｂ）からテーブルに振動を伝達する伝達比が１以上となり伝達特性にピークが生じるため周波数ｆ１の振動を効率よくテーブルに伝えるが、その一方で周波数ｆ１に比べて高い周波数の振動が伝達されるのを防ぐメカニカルなローパスフィルタが構成されるためである。換言すれば、脚部２７に弾性部材２７Ｂを設けたスピーカシステム１０では、所望の周波数ｆ１と共振周波数を一致させることによって、この周波数ｆ１より高い周波数による振動がテーブルに伝わるのを防ぐメカニカルなローパスフィルタが構成される。スピーカシステム１０は、弾性部材２７Ｂのバネ定数を調整することによって、メカニカルなローパスフィルタのカットすべき帯域が調整可能となる。
【００４０】
以上、上記した実施例によれば、以下の効果を奏する。
＜効果１＞本実施例のスピーカシステム１０は、スピーカエンクロージャー２１をテーブルの上に支持する脚部２７の先端部分に弾性部材２７Ｂを備える。弾性部材２７Ｂのバネ定数は、当該弾性部材２７Ｂのバネ定数と脚部２７に加えられるバネ上質量とに基づいて定まる共振周波数が、パッシブラジエータとして機能するパッシブ振動板３１が共振するバスレフ共振周波数ｆｒに比べて小さい値（例えば、周波数ｆ１）となるように設定されている。このように構成されたスピーカシステム１０では、パッシブ振動板３１よりスピーカエンクロージャー２１に励起される振動のうち、従来のバスレフ型のスピーカシステムでは再生できなかった低域の周波数を選択的にテーブルに伝えテーブルの設置面を振動させることが可能となる。その結果、スピーカシステム１０は、テーブルの設置面を振動させて発生させた音圧により所望の重低音を再生することが可能となる。
【００４１】
また、スピーカシステム１０は、脚部２７（弾性部材２７Ｂ）が接触するテーブルの設置面を振動させることによって、スピーカシステム１０単体では再生できない音声を再生することが可能となる。このため、ユーザーは、スピーカシステム１０の設置場所を選択し振動を加える対象物を変更することによって、低音を発生させる面積をスピーカシステム１０が備えるスピーカユニット１１やパッシブ振動板３１の振動部分の面積に比べて極めて大きくすることができる。従って、ユーザーは、スピーカシステム１０を用いて面積がより大きい設置面を選択・振動させて所望の重低音を再生できる。また、ユーザーは、例えば、重低音がよく聞こえると感じる場所に当該スピーカシステム１０を設置するだけで所望の重低音を再生することができるため、設置場所を選ぶために音声再生技術に係わる専門的な知識を要求されることがない。
【００４２】
また、スピーカシステム１０は、所望の周波数ｆ１と、弾性部材２７Ｂのバネ定数と脚部２７に作用するバネ上質量とに基づいて定まる共振周波数が一致するように弾性部材２７Ｂのバネ定数を設定することによって、周波数ｆ１より高い周波数の振動がテーブルに伝わるのを防ぐメカニカルなローパスフィルタが構成される。このため、スピーカシステム１０は、脚部２７からテーブルに伝わる周波数の帯域がバスレフ共振周波数ｆｒに比べて低い帯域に制限される。ここで、物体は叩いた時に発生する固有音がある。物体は、この固有音と同一の周波数の音波（振動）が外部から印加された場合に、共振を起こし強い固有音を発することが知られている。一般的な木材で作ったテーブルなどの固有音の周波数は、数百Ｈｚ以上であり、バスレフ共振周波数ｆｒより低い周波数ｆ１とはかけ離れた帯域の周波数である。従って、このスピーカシステム１０によれば、メカニカルなローパスフィルタにより固有音を励起する振動を設置面に伝え難いために、テーブル等から材料に依存した固有音が発生しにくくなる。
【００４３】
次に、パッシブ振動板３１は、当該パッシブ振動板３１の質量と、スピーカエンクロージャー２１内の空気バネとに基づくヘルムホルツ共鳴を起こす共鳴器として機能する。小型のスピーカシステム１０の場合には、スピーカエンクロージャー２１の内部空間の容積が小さくなるのにともなって空気バネのコンプライアンスがより小さくなる。このため、スピーカシステム１０は、小さくなる空気バネのコンプライアンスに釣り合うようにパッシブ振動板３１の質量を大きくする必要が生じる。その結果、パッシブラジエータとしてパッシブ振動板３１を備えるスピーカシステム１０では、小型化にともなって、スピーカユニット１１（コーン紙）の質量とパッシブ振動板３１（パッシブラジエータ）の質量の差が大きくなる傾向がある。小型化にともなってパッシブ振動板３１の質量が増大したスピーカシステム１０は、バスレフ共振周波数ｆｒ以下においてパッシブ振動板３１が振動することによって、そのパッシブ振動板３１を支えるスピーカエンクロージャー２１に十分な質量や剛性が無い場合にはスピーカエンクロージャー２１に大きな振動が励起されてしまう。特に、小型のスピーカシステム１０では、軽量な装置が望まれることが一般的であり、パッシブ振動板３１の振動によってスピーカエンクロージャー２１に励起される振動により、システム全体が不規則に移動する虞がある。あるいは、小型のスピーカシステム１０では、スピーカエンクロージャー２１に励起される振動により、脚部２７にテーブルとの反作用が働いて脚部２７が浮き上がってテーブルの設置面に衝突しノイズを発生させる虞がある。
【００４４】
この問題に対し、従来の小型で軽量なスピーカシステム１０では、パッシブラジエータによりスピーカエンクロージャー２１に励起される振動を抑えるために、例えば、振動方向が互いに逆方向の１組のパッシブラジエータを対向配置させ互いのパッシブラジエータの振動を打ち消し合うように構成したものがある。しかしながら、このような構成のスピーカシステム１０では、パッシブラジエータを２個以上備える必要があり、システム全体の大型化や製造コストの増加を招く虞がある。これに対し、本実施例のスピーカシステム１０では、弾性部材２７Ｂを脚部２７に追加する構成のみでシステム全体の大型化を防止しながら、バスレフ共振周波数ｆｒ以下においてスピーカエンクロージャー２１に励起される振動が脚部２７を通じて他の部材に伝達され防振を図る構成とされている。また、スピーカシステム１０は、従来では１組のパッシブラジエータを対向させ音波（エネルギー）を消失させるなどの対策がなされていた低音の帯域（例えば、周波数ｆ１）を、振動を利用して低音を再生させる対象の帯域としたことでエネルギーの利用効率の向上が図れる。このため、本実施例のスピーカシステム１０は、周波数ｆ１が可聴帯域内でありながら十分に再生できなかった小型のスピーカシステム１０に適用した場合に特に有効である。
【００４５】
また、従来、テーブル等の対象物を振動させて音声を再生するスピーカシステムには、アクチュエータを用いるものがある（例えば、特開２００９−１５９５５１や特開２００７−１５８７５２など）。このアクチュエータを用いたスピーカシステムには、アクチュエータの出力軸に取り付けられた振動伝達板をテーブルの設置面などに当てて振動させることで音声を再生するものがある。アクチュエータを用いたスピーカシステムでは、振動させるテーブル等の材質や形状によっては周波数特性に凸凹が生じ易く、又はテーブル等の振動させる対象物の材質に応じた固有音が発生し易い傾向がある。このため、アクチュエータを用いたスピーカシステムでは、フラットな周波数特性や癖の無い音質を得ることが困難となる。これに対し、本実施例のスピーカシステム１０によれば、スピーカユニット１１、パッシブ振動板３１及びテーブル等の設置面の各々が音圧を発する振動板となり再生する周波数帯域を使い分けることによって、アクチュエータを用いた同程度の再生能力を備えるスピーカシステムに比べて、可聴帯域の全周波数に渡って明瞭で癖のない音声を再生することが可能となる。
【００４６】
＜効果２＞パッシブ振動板３１は、スピーカエンクロージャー２１の下面２１Ａに設けられ、その一端（固定部３１Ａ）が下面２１Ａの傾斜部２８に固定されている。ここで、パッシブ振動板３１によってスピーカエンクロージャー２１に励起される振動をテーブルの設置面へ効率的に伝達させるには、脚部２７からテーブルに伝える力のベクトルを設置面に対して垂直な方向とすることが望ましい。しかしながら、一般的なバスレフ型のスピーカシステム１０では、テーブルに設置した際にパッシブラジエータ（例えば、ドローンコーン）が振幅する方向が設置面の平面に平行な方向となるように設計されている。ドローンコーンは、エッジやダンパーが設けられるが、このエッジやダンパーが例えばコーン紙の振幅方向に対して柔軟に変位が可能である一方で、振幅方向と垂直な方向、即ち設置面に対して垂直な方向に対しての変位の自由度が少ない特性を備えることが一般的である。このため、この種のスピーカシステム１０では、ドローンコーンを設置面に対して垂直な方向に音波を放射するように設置する、換言すればドローンコーンの振幅方向が設置面に対して垂直な方向となるように設置すると、重力が作用してコーン紙の位置が下がり振動の中心が重力の作用する方向にオフセットすることで周波数特性の歪が増加する場合がある。また、このような設置状態での使用が長期間に亘って維持されると、例えばエッジやダンパーの変形や損傷が生じ、ひいてはドローンコーンが脱落するなどの不具合が生じる場合がある。また、ドローンコーンの脱落を防止するためにエッジやダンパーの硬度を高める対策が考えられるが、ドローンコーンを所望の振幅特性に維持することが困難となる。
【００４７】
これに対し、本実施例のスピーカシステム１０では、パッシブラジエータとして一端が固定された片持ちのパッシブ振動板３１を備える。この片持ちのパッシブ振動板３１は、一端の固定部３１Ａによって自立し他の部分が浮いたように保持されるため、設置する向きが制限されず振幅方向を重力が作用する方向としても耐久性などに不具合が生じない。これにより、本実施例のスピーカシステム１０によれば、パッシブ振動板３１（パッシブラジエータ）を設置面に対して垂直な方向に音波を放射するように設置する状態を長期間に亘って安定して維持することが可能となる。そして、スピーカシステム１０は、テーブルを振動させるために脚部２７に作用する力のベクトルを設置面に対して垂直な方向とし、パッシブ振動板３１によってスピーカエンクロージャー２１に励起される振動を効率的にテーブルに伝達することが可能となる。
【００４８】
＜効果３＞脚部２７は、固定部３１Ａにより片持ちで支持されるパッシブ振動板３１の振動端（自由端）に近接する位置に設けられている（図４及び図５参照）。これにより、パッシブ振動板３１の振動によってスピーカエンクロージャー２１に振動が励起され易い位置、また、振動が最も大きくなる位置が設置面と接することとなり、テーブル等に対して振動を効率よく伝達可能なスピーカシステム１０が構成できる。
【００４９】
＜効果４＞スピーカエンクロージャー２１は、パッシブ振動板３１がテーブルの設置面と対向する下面２１Ａに設けられ、スピーカユニット１１が上面側のバッフル板２３に取り付けられている。スピーカシステム１０は、上面側のスピーカユニット１１によって中高域の音波が設置された空間内に放射されるとともに、パッシブ振動板３１によってスピーカエンクロージャー２１に励起された振動が脚部２７を介して設置面に効果的に伝達され重低音が再生される。また、パッシブ振動板３１から直接再生される低音は、スピーカユニット１１から再生される高音に比べて波長が長く指向性が広くなり回り込みが生じ易い。従って、下面２１Ａのパッシブ振動板３１から再生される音声は、回折により設置された空間内に放射されることとなる。これにより、本実施例のスピーカシステム１０よれば、音声の全周波数の帯域に渡って明瞭で癖のない音声を再生することが可能となる。
【００５０】
＜効果５＞弾性部材２７Ｂのバネ定数は、当該バネ定数と脚部２７に作用するバネ上の質量に基づいて定まる共振周波数が、パッシブ振動板３１の振幅が最大となる周波数ｆ１となるように設定されている。スピーカシステム１０は、弾性部材２７Ｂとバネ上の質量が共振する周波数において脚部２７から設置面へ振動が伝達される伝達比の値が１以上となり伝達特性にピークが生じる。スピーカシステム１０では、パッシブ振動板３１の振幅が最大となる周波数ｆ１において伝達比の値が１以上となるため、テーブルの設置面から振動により励起される音圧をスピーカユニット１１から再生する音圧以上にすることも可能となる。このため、スピーカシステム１０は、テーブルから発生する音波がスピーカユニット１１から発生する音波と逆相であっても、テーブルからの音波がスピーカユニット１１からの音波によって完全に打ち消されないため、周波数ｆ１付近の音声の再生が可能となる。
【００５１】
なお、本発明は上記実施例に限定されるものではなく、本発明の趣旨を逸脱しない範囲内での種々の改良、変更が可能であることは言うまでもない。
【００５２】
例えば、スピーカシステム１０は、スピーカユニット１１に供給される音響信号から特定の周波数帯域、例えば周波数ｆ１以下の帯域を制限する処理回路を備えてもよい。本願のスピーカシステム１０は、例えばスピーカユニット１１を駆動するアンプや信号処理回路などを有する回路が内蔵されるパワードスピーカシステムにも適用でき、この場合にスピーカユニット１１のボイスコイルに供給する音響信号に対し周波数ｆ１以下をカットするハイパスフィルタを備える処理回路を内蔵してもよい。これにより、スピーカシステム１０は、ハイパスフィルタの駆動を制御することによって、周波数ｆ１以下の帯域でパッシブ振動板３１を振動させるか否かが選択可能となる。従って、スピーカシステム１０は、低域の音声を再生する拡張機能の起動又は停止をユーザーが選択可能な機能を備えることができる。なお、ハイパスフィルタは、バスレフ共振周波数ｆｒ以下を制限するフィルタでもよい。また、ハイパスフィルタは、遮断周波数を連続、あるいは断続的に可変して制限する、あるいは周波数ｆ１以下の帯域制限の減算量を段階的に可変して制限するフィルタでもよい。これにより、スピーカシステム１０は、設置場所、設置状況などに応じて変動する低音の音圧をユーザーが調整可能な機能を備えることができる。
【００５３】
（別の実施例）
また、上記実施例のスピーカシステム１０では、脚部２７に弾性を備えるために樹脂やゴム等で形成された弾性部材２７Ｂを設けたが、他の方法を用いて脚部２７に弾性を備えさせた構成でもよい。例えば、図７に示すスピーカシステム１０Ａは、脚部としてコイルバネ６１を備えた構成となっている。図７（ａ）は、スピーカシステム１０Ａの側面から見た場合の断面図、図７（ｂ）は、後方から見た図、図７（ｃ）は、下面から見た図である。スピーカシステム１０Ａは、略正六面体のスピーカエンクロージャー６３を備える。スピーカエンクロージャー６３は、対向する側面６３Ａの各々にスピーカユニット６５が設けられている。一対のスピーカユニット６５は、例えば、振動方向が互いに逆方向となるように対向配置されている。このスピーカシステム１０Ａでは、上記実施例とは異なり、テーブルに設置した際に、スピーカユニット６５の振幅方向が設置面の平面に平行な方向となる。
【００５４】
また、スピーカシステム１０Ａは、下面６３ＢにＵ字状に形成されたパッシブ振動板６６が形成されている。また、スピーカエンクロージャー６３は、下面６３Ｂに形成された開口部６７がアーチ状のエッジ６９によって、スピーカエンクロージャー６３の内側から覆われ気密性が保持されている。エッジ６９は、例えば、Ｕ字状の開口部６７をその形状に沿って覆っている。また、パッシブ振動板６６は、先端側の内周面に共振周波数を調整するための１つの重り７１が設けられている。
【００５５】
コイルバネ６１は、スピーカエンクロージャー６３の下面６３Ｂに形成された凹部７２内に取り付けられている。コイルバネ６１は、テーブルに接触する面に薄い樹脂のクッション７３が貼り付けられている。コイルバネ６１のバネ定数は、例えば、バネ定数をＫ、設置時にコイルバネ６１に加えられる質量をｍとした場合に、バネ定数Ｋ＝ｍ＊（２πｆ１）２［Ｎ／ｍ］で決定される。例えば、質量ｍ＝０．３Ｋｇ、周波数ｆ１＝１００Ｈｚとした場合、Ｋ＝１１８Ｎ／ｍｍとなる。外形が８ｍｍ、内径が４ｍｍの自由長１５ｍｍのコイルバネであれば、例えばバネ定数が１１０Ｎ／ｍｍでありこの目的に合致する。また、スピーカエンクロージャー６３は、コイルバネ６１の他に、弾性を有しない一対の支持部７４が設けられている。支持部７４の各々は、側面６３Ａの各々の下面６３Ｂから設置面側に延設される部分に形成され、前方側の端部に設けられている。支持部７４の各々は、側面６３Ａの延設される部分から設置面に向かって突出し、先端部に向かうに従って前後の幅が狭くなる先細り形状となっている。支持部７４は、テーブルに接触する面にクッション７５が貼り付けられている。
【００５６】
このスピーカシステム１０Ａでは、上記実施例のスピーカシステム１０と同様に、パッシブラジエータとして機能するパッシブ振動板６６によってスピーカエンクロージャー６３に励起される振動のうち、従来のバスレフ型のスピーカシステムでは再生できなかった低域の周波数を選択的にコイルバネ６１からテーブルに伝え振動させることが可能となる。なお、コイルバネ６１は、螺旋形状の内部にスポンジなどを圧入して振動の抑制を図って共振のピークを調整してもよい。
【００５７】
また、脚部２７に弾性を備えるための方法として、図８に示すスピーカシステム１０Ｂのように、脚部８１に板バネ８２を設けてもよい。図８（ａ）は、スピーカシステム１０Ｂの側面から見た場合の断面図、図８（ｂ）は、後方から見た図、図８（ｃ）は、下面から見た図である。なお、図８は、図７のスピーカシステム１０Ａと同様の構成については同一の符号を付している。スピーカシステム１０Ｂの弾性を有する脚部８１は、下面６３Ｂから後方に向かって延設され、その延設された部分の先端から設置面に向かって先細りの突出部分が形成されている。脚部８１は、突出部分の先端面にクッション７３が貼り付けられている。また、脚部８１は、後方に向かって延設される部分の内周面に板バネ８２が取り付けられている。脚部８１は、板バネ８２のバネ定数に応じて弾性が変更される。従って、このスピーカシステム１０Ｂによれば、上記実施例のスピーカシステム１０と同様の効果を得ることができる。
【００５８】
また、本願におけるスピーカエンクロージャーは、図９に示すように、一般的な設置面に対して直交する方向に延びる直方体形状でもよい。図９に示すスピーカシステム１０Ｃは、前面のバッフル板９１の上側にスピーカユニット９２が取り付けられている。また、スピーカシステム１０Ｃのスピーカエンクロージャー９３は、下面９３Ｃに後方に向かってＵ字状に形成されたパッシブ振動板９５が形成されている。スピーカシステム１０Ｃは、パッシブ振動板９５の振動端に近接する側の脚部９６に弾性部材９７が設けられている。このような構成のスピーカシステム１０Ｃにおいても、上記実施例のスピーカシステム１０と同様の効果を得ることができる。なお、本願におけるスピーカエンクロージャーは、平面で構成された形状に限らず、曲面や球面を有する形状でもよい。
【００５９】
また、本願におけるパッシブラジエータは、耐久性や性能を重視しない用途では、片持ちのパッシブ振動板３１に限らず、駆動回路のないスピーカユニット（ドローンコーン）でもよい。
また、パッシブ振動板３１（パッシブラジエータ）の数は、１個に限らず、２以上の複数個でもよいが、振動を打ち消すように配置してはならない。
また、弾性を有する脚部２７は、２本に限定されない。
【００６０】
また、スピーカエンクロージャー２１のスピーカユニット１１及びパッシブ振動板３１（パッシブラジエータ）を設ける位置は、適宜変更してもよい。
また、パッシブ振動板３１に対する脚部２７の位置は、振動端に近接する位置に限定されない。
【００６１】
ちなみに、パッシブ振動板３１，６６，９５は、パッシブラジエータの一例である。弾性部材２７Ｂ，９７，板バネ８２は、弾性部の一例である。バッフル板２３，９１は、スピーカエンクロージャーのスピーカユニットが設けられる部分の一例である。コイルバネ６１は、弾性部を有する脚部の一例である。下面２１Ａ，６３Ｂ，９３Ｃは、第１面の一例である。バッフル板２３，９１は、第２面の一例である。周波数ｆ１は、パッシブラジエータの振幅が最大となる周波数の一例である。
【符号の説明】
【００６２】
１０，１０Ａ〜１０Ｃ  スピーカシステム、１１，６５，９２  スピーカユニット、２１，６３，９３  スピーカエンクロージャー、２３，９１  バッフル板、２７  脚部、３１，６６，９５  パッシブ振動板、２７Ｂ，９７  弾性部材。
【図１】
2015099957.tif 000003
【図２】
2015099957.tif 000004
【図３】
2015099957.tif 000005
【図４】
2015099957.tif 000006
【図５】
2015099957.tif 000007
【図６】
2015099957.tif 000008
【図７】
2015099957.tif 000009
【図８】
2015099957.tif 000010
【図９】
2015099957.tif 000011